(57)【要約】【課題】パネル本体の片面に予め断熱ボードが貼り合わされた壁パネルのパネル本体を壁柱に直接釘留めもしくはビス留めすることができると共に、断熱ボードの湿気による断熱性能の劣化も防止できるようにする。【解決手段】パネル本体の片面に貼り合わされる断熱ボード３の表面に防水性シート４が被着されると共に、パネル本体２を壁柱５に釘留めもしくはビス留めする部分を覆う断熱ボード３の端部が、防水性シート４の部分を切り残して、釘留めもしくはビス留め施工に必要な幅分だけ切断され、その切断端部６が、パネル本体２の表面に対して非接着状態とされている。【選択図】  図１
2004285781.tif 000002
【特許請求の範囲】
【請求項１】
壁柱に釘留めもしくはビス留めするパネル本体の片面に断熱ボードが貼り合わされた壁パネルであって、前記断熱ボード（３）の表面に防水性シート（４）が被着され、前記パネル本体（２）を壁柱に釘留めもしくはビス留めする部分を覆う前記断熱ボード（３）の端部が、前記防水性シート（４）の部分を切り残して、釘留めもしくはビス留め施工に必要な幅分だけ切断されると共に、その切断端部（６）が、前記パネル本体（２）の表面に対して非接着状態とされていることを特徴とする壁パネル。
【請求項２】
前記断熱ボード（３）の切断端部（６）が、少なくとも該切断端部（６）の幅（Ｗ）とその横断面の対角線の長さ（Ｄ）との差値以上に相当する長さ分だけ前記パネル本体（２）の端縁より内側に設けられている請求項１記載の壁パネル。
【請求項３】
前記断熱ボード（３）の一部が、前記パネル本体（２）を壁柱間に立てられた間柱に釘留めもしくはビス留めする部分に沿って一定幅だけ欠如して、縦長の凹溝（８）が形成されている請求項１又は２記載の壁パネル。
【請求項４】
壁柱に釘留めもしくはビス留めするパネル本体の片面に貼り合わされた断熱ボードの表面に防水性シートが被着され、前記パネル本体を壁柱に釘留めもしくはビス留めする部分を覆う前記断熱ボードの端部が、前記防水性シートの部分を切り残して釘留めもしくはビス留め施工に必要な幅分だけ切断されると共に、該切断端部が、前記パネル本体の表面に対して非接着状態とされている壁パネル（１）を用いた外張断熱工法であって、前記断熱ボード（３）の切断端部（６）を前記パネル本体（２）の表面から離反させて該パネル本体（２）を壁柱（５）に釘留めもしくはビス留めした後、該パネル本体（２）の表面に前記切断端部（６）を押し当て、該切断端部（６）を押さえ留める桟木（９）を壁柱（５）に釘留めもしくはビス留めし、その上から外壁（１６）となる外装材（１７）を取り付けて前記断熱ボード（３）と外壁（１６）との間に通気層（１８）を形成することを特徴とする外張断熱工法。
【請求項５】
前記壁パネル（１）を、前記断熱ボード（３）の切断端部（６）が、少なくとも該切断端部（６）の幅（Ｗ）とその横断面の対角線の長さ（Ｄ）との差値以上に相当する長さ分だけ前記パネル本体（２）の端縁より内側に設けられた壁パネルとし、前記桟木（９）を、互いに隣接する二枚の壁パネル（１、１）のパネル本体（２、２）を壁柱（５）に釘留めもしくはビス留めして両パネル本体（２、２）の表面に押し当てた左右二つの前記切断端部（６、６）間に生ずる隙間（Ｌ）に沿って圧入する突条部（１０）を形成した断面Ｔ字形の桟木とする請求項４記載の外張断熱工法。
【請求項６】
前記桟木（９）を防水性材料で成形すると共に、該桟木（９）が前記断熱ボード（３）の切断端部（６）に被着された前記防水性シート（４）と接する部分に沿って気密シール材（１３）を設けた請求項４又は５記載の外張断熱工法。
【発明の詳細な説明】
【０００１】
【発明の属する技術分野】
本発明は、住宅の壁部分に釘留めもしくはビス留め工法で施工する壁パネルとその壁パネルを用いた外張断熱工法に関する。
【０００２】
【従来の技術】
近時は、壁構造体の外側に断熱材を配した外張断熱工法による住宅の施工が増えつつある。この外張断熱工法は、壁構造体の内部にグラスウール等の断熱材を充填する内断熱工法に比べて、壁構造体の内部に通信用回線や電気配線、コンセントボックス、冷暖房配管等を施工する作業が容易であり、また、その壁構造体の内部を書棚や飾り棚等の収納スペースとしたり、室内空間の一部に取り込むこともでき、更に、断熱材が壁構造体の外側にあるため、壁構造体の内部に結露が生じにくく、その内部にカビやカビを餌とするダニが発生することも抑制されるという数々の利点を有している。
【０００３】従来の外張断熱工法は、厚さ数ｍｍ乃至十数ｍｍ程度の合板で成る複数枚の壁パネルを左右方向に継ぎ合わせるように並べて各々壁柱や間柱にビス留め（釘留め）し、その壁パネルの継ぎ目に沿って気密テープを貼り付け、次に、それら各壁パネルの外面全体に厚さ４０〜５０ｍｍ程度の硬質ウレタンフォームで成る断熱ボードを接着剤で貼り付けた後、その断熱ボードの表面に沿って壁柱や間柱と対向する位置に桟木を配し、それら桟木の上から外壁となる外装材を壁柱に釘留めもしくはビス留めするのが一般的である。
【０００４】
【発明が解決しようとする課題】
しかし、上記の如く、壁パネルを壁柱や間柱にビス留め施工した後、その施工現場で、壁パネルの継ぎ目に沿って気密テープを貼り付けたり、壁パネルの表面に断熱ボードを接着剤で貼り付ける外張断熱工法は、内断熱工法に比べて、施工の手間が掛かるので、住宅の建築工期が著しく長くなり、施工コストも嵩むという欠点を有していた。
【０００５】なお、合板等で成るパネル本体の片面全体に予め断熱ボードを貼り合せた壁パネルも市販されているが、この種の壁パネルは、パネル本体の表面に断熱ボードを接着剤で貼り付ける作業は不要であるが、パネル本体を壁柱にビス留めするために断熱ボードの端部がパネル本体の端部より内側に引っ込んでいるので、隣接する壁パネル間に断熱ボードが欠落した隙間が生じ、その隙間を塞ぐために該隙間に細幅に切断した断熱ボードを埋め込まなければならないので、施工の手間が掛かり、工期も長くなって施工コストが嵩むという欠点があった。。
【０００６】また、内断熱工法では、壁パネルの表面に防水紙を施工して壁構造体に防水性能を付与しているが、外張断熱工法の場合は、壁パネルの表面に、防水性能を有する硬質ウレタンフォームで成る断熱ボードを貼り付けるため、防水紙を施工しないのが一般的である。しかし、降雨量の多いわが国では、防水性を有する断熱ボードであっても、これが長期にわたって湿気に晒されると、経時変化によってその断熱性能が劣化するおそれがある。
【０００７】そこで本発明は、パネル本体の片面に予め断熱ボードが貼り合わされた壁パネルを提供して、外張断熱工法の施工の手間と施工コストを大幅に低減すると同時に、該壁パネルのパネル本体を壁柱に直接釘留めもしくはビス留めすることができ、また、パネル本体に貼り合わされた断熱ボードの湿気による断熱性能の劣化も防止できるようにすることを主たる技術的課題としている。
【０００８】
【課題を解決するための手段】
上記課題を解決するために、請求項１に係る発明は、壁柱に釘留めもしくはビス留めするパネル本体の片面に断熱ボードが貼り合わされた壁パネルであって、前記断熱ボードの表面に防水性シートが被着され、前記パネル本体を壁柱に釘留めもしくはビス留めする部分を覆う前記断熱ボードの端部が、前記防水性シートの部分を切り残して釘留めもしくはビス留め施工に必要な幅分だけ切断されると共に、該切断端部が、前記パネル本体の表面に対して非接着状態とされていることを特徴とする。
【０００９】本発明の壁パネルは、パネル本体の片面に断熱ボードが貼り合わされているので、施工現場で壁パネルに断熱ボードを接着施工する手間が省ける。また、断熱ボードの表面に、防水性シートが被着されているので、断熱ボードの性能劣化を防止することができると同時に、壁パネルの表面に防水紙を施工する手間も省ける。
【００１０】また、パネル本体に貼り合わせた断熱ボードは、パネル本体を壁柱に釘留めもしくはビス留めする部分を覆う切断端部が、パネル本体の表面に対して非接着状態となっていると同時に、断熱ボードの表面に被着された防水性シートで断熱ボードの他の部分と蝶番接合の如く繋がれて、パネル本体の表面に対して進退自在に設けられているので、その切断端部をパネル本体の表面から離反させることにより該パネル本体を壁柱に直接ビス留め施工することができる。
【００１１】そして、パネル本体を壁柱にビス留め施工した後、パネル本体の表面から離反させた断熱ボードの切断端部をパネル本体の表面に押し当て、該切断端部を押え留める桟木を壁柱に釘留めもしくはビス留めすれば、断熱ボードの切断端部が、パネル本体の表面に密着した状態に保持固定される。
【００１２】次に、請求項４に係る発明は、請求項１に係る発明の壁パネルを用いた外張断熱工法であって、上記の如く、断熱ボードの切断端部をパネル本体の表面から離反させて該パネル本体を壁柱に釘留めもしくはビス留めした後、該パネル本体の表面に前記切断端部を押し当て、該切断端部を押さえ留める桟木を壁柱に釘留めもしくはビス留めし、その上から外壁となる外装材を取り付けて前記断熱ボードと外壁との間に通気層を形成することを特徴とする。
【００１３】
【発明の実施の形態】
以下、本発明の実施形態を図面によって具体的に説明する。
図１は本発明に係る壁パネルの一例を示す横断面図、図２及び図３は壁パネルの要部を拡大して示すと共にその壁パネルを用いた外張断熱工法の手順を示す横断面図、図４は本発明に係る外張断熱工法の施工例を示す切欠斜視図である。
【００１４】本例の壁パネル１は、合板等で成るパネル本体２の片面に硬質ウレタンフォームやフェノールフォーム等で成る断熱ボード３が貼り合わされると共に、断熱ボード３の表面にポリエステル不織布や軟質プラスチックシート等で成る防水性シート４が被着されている。
【００１５】そして、パネル本体２を壁柱５にビス留め（もしくは釘留め）する部分を覆う断熱ボード３の端部が、防水性シート４の部分を切り残して、ビス留め施工（もしくは釘留め施工）に必要な幅分だけ切断され、その切断端部６が、パネル本体２の表面に対して非接着状態とされている。また、隣接する二枚の壁パネル１、１のパネル本体２、２を継ぎ合わせるように壁柱５にビス留め施工したときに、双方のパネル本体２、２に設けられた断熱ボード３の切断端部６、６同士がぶつかり合って、該切断端部６をパネル本体２の表面に対して進退させることができなくなることを回避するため、切断端部６は、少なくともその幅Ｗと横断面の対角線の長さＤとの差値以上に相当する長さ分だけ、パネル本体２の端縁より内側に設けられている。
【００１６】なお、本例では、切断端部６、６同士のぶつかり合いを回避するのみならず、その切断端部６、６間に、後述する桟木９に設けられた突条部１０を圧入できる隙間Ｌを生じ得る長さ分だけ、パネル本体２の端縁より内側に設けられている。
【００１７】また、パネル本体２に貼り合わせる断熱ボード３の一部が、パネル本体２を壁柱間に立てられた間柱７にビス留めする部分に沿って一定幅だけ欠如して、縦長な凹溝８が形成されている。
【００１８】次に、図中９は、互いに隣接する二枚の壁パネル１、１のパネル本体２、２を壁柱５にビス留めして両パネル本体２、２の表面に押し当てた左右二つの切断端部６、６間に生ずる隙間Ｌに沿って圧入する突条部１０を形成した断面Ｔ字形の桟木であり、また、１１は、各壁パネル１の断熱ボード３に形成された凹溝８に沿って圧入する突条部１２を形成した断面Ｔ字形の桟木であって、両桟木９及び１１は、いずれもビス留めが可能で断熱性能も有するフェノール発泡樹脂等の防水性材料で成形されると共に、断熱ボード３の表面に被着された防水性シート４と接する部分に沿って、防水性能も有するシリコン樹脂等の気密シール材１３が設けられている。
【００１９】以上が、本例に示す壁パネル１とその外側に施工する桟木９、１１の構成であり、次に、これら壁パネル１と桟木９、１１を用いた外張断熱工法の施工手順について説明する。
【００２０】まず、左右に並べて取り付ける各壁パネル１のパネル本体２を夫々壁柱５や間柱７に押し当てて、そのパネル本体２を壁柱５にビス留めする部分を覆う断熱ボード３の切断端部６をパネル本体２の表面から離反させた状態とし、その状態でパネル本体２の端部に沿ってビス１４を打ち込み、該パネル本体２を壁柱５にビス留めする。
【００２１】次に、互いに隣接する二枚の壁パネル１、１のパネル本体２、２の表面に各々の表面から離反させていた断熱ボード３の切断端部６を同時に押し当てて、その二つ切断端部６、６間に生ずる隙間Ｌに桟木９の突条部１０を圧入する。これにより、両切断端部６、６が、パネル本体２、２の表面に密着した状態に押え留められると同時に、桟木９も、突条部１０が切断端部６、６間に挟持されることによって、その切断端部６を成す断熱ボード３の外面に沿って取り付けられた状態となるので、桟木９をビス１５で壁柱５にビス留めする作業を簡易迅速化することができる。
【００２２】また、各壁パネル１の断熱ボード３に形成された凹溝８に桟木１１の突条部１２を圧入するだけで、該桟木１１が断熱ボード３の外面に沿って取り付けられた状態となる。なお、桟木１１は、凹溝８に沿ってパネル本体２を間柱７にビス留めした後、その凹溝８内に圧入してビス留めする。
【００２３】そして、桟木９の上から外壁１６となる外装材１７をビス１９で桟木９、１１にビス留めし、各壁パネル１の断熱ボード３と外壁１６との間に通気層１８を形成する。
【００２４】以上のように、壁パネル１は、パネル本体２の片面に予め断熱ボード３が貼り合わされているので、住宅の施工現場で壁パネルに断熱ボードを接着施工する面倒がない。また、断熱ボード３は、表面全体に防水性シート４が被着されているので、断熱性能の劣化を防止することができ、更に、隣接する壁パネル１、１の断熱ボード３、３間に生ずる隙間Ｌが防水性材料で成る桟木９で塞がれると同時に、該桟木９には断熱ボード３の防水性シート４と接する部分に気密シール材１３が設けられており、防水・防湿性能に優れているので、壁パネル１の外面に防水紙等を施工する必要がない。
【００２５】また、壁パネル１は、パネル本体２に断熱ボード３が貼り合わされていても、パネル本体２を壁柱５や間柱７に対して直接ビス留め施工することができると共に、桟木９、１１も壁柱５や間柱７に直接ビス留めすることができ、更に、その桟木９、１１に外壁１６となる外装材１７をビス留めすることができるので、壁構造体の強度を損なうことがない。なお、図１の壁パネル１は、パネル本体２の左右両端に断熱ボード３の切断端部６が形成されているが、該切断端部６はパネル本体２の片端のみに形成されている場合であってもよい。
【００２６】また、断熱ボード３を上から押えると同時に外装材１７をビス留めする桟木９、１１が、突条部１０をパネル本体２に押し当てて該パネル本体２にビス留めする断面Ｔ字形の桟木で形成されていれば、外壁１６の加重でビスが曲がって外壁１９全体が下がるおそれもない。
【００２７】
【発明の効果】
本発明によれば、壁構造体の外側に断熱材を施工する外張断熱工法の施工の手間を大幅に軽減して、住宅の建築工期を著しく短縮することができると同時に、施工コストも低減することができるという大変優れた効果がある。
【図面の簡単な説明】
【図１】本発明に係る壁パネルの一例を示す横断面図
【図２】図１の壁パネルの要部を拡大して示す横断面図
【図３】図１の壁パネルを張り付けた壁構造体の横断面
【図４】本発明に係る外張断熱工法の施工例を示す切欠斜視図
【符号の説明】
１………………壁パネル
２………………パネル本体
３………………断熱ボード
４………………防水性シート
５………………壁柱
６………………切断端部
７………………間柱
８………………凹溝
９………………桟木
１０………………突条部
１１………………桟木
１２………………突条部
１３………………気密シール材
１４………………ビス
１５………………ビス
１６………………外壁
１７………………外装材
１８………………通気層
１９………………ビス
【図１】
2004285781.tif 000003
【図２】
2004285781.tif 000004
【図３】
2004285781.tif 000005
【図４】
2004285781.tif 000006